【手続補正書】
【提出日】平成18年7月24日(2006.7.24)
【手続補正１】
【補正対象書類名】特許請求の範囲
【補正対象項目名】全文
【補正方法】変更
【補正の内容】
【特許請求の範囲】
【請求項１】
光学コード・リーダ内に取り外し可能に配置され、調整可能なレンズ組立体を有する像形成エンジンを、光学コード・リーダ・システムの回路組立体にインターフェースするためのインターフェース組立体であって、
少なくとも１つの入力信号を第１の方向で、前記回路組立体から前記像形成エンジンに向かって伝送するための第１結合回路組立体、
を備え、前記少なくとも１つの入力信号が、前記レンズ組立体が、少なくとも２つの焦点位置のうちの１つの焦点位置を選択するように制御するための少なくとも１つの焦点制御信号と、焦点制御モータ電力信号、照明電力信号、複合ＣＣＤ／照準電力信号、像形成エンジンの照明組立体を制御するための照明イネーブル信号、及び、前記像形成エンジンの照準組立体を制御するための照準イネーブル信号とを含み、前記少なくとも１つの焦点制御信号が、少なくとも３つの焦点制御モードから１つの焦点制御モードを選択するための２つの信号を含み、前記少なくとも３つの焦点制御モードが、第１焦点距離を選択するように前記レンズ組立体のモータを作動させる第１のモード、第２焦点距離を選択するように前記モータを作動させるモード、該モータを作動させず、焦点距離も選択しないモード、及び、一連の少なくとも２つの像収集のうちの１つの像収集のために、前記第１の焦点距離と前記第２の焦点距離との間で切り換えるように該モータを作動させるモードで構成された焦点制御モードの群から選択されており、
少なくとも１つの出力信号を第２の方向で、前記像形成エンジンから前記回路組立体に向かって伝送するための第２結語回路組立体、
を備え、前記少なくとも１つの出力信号が、少なくとも１つのピクセル・データ信号を含み、前記少なくとも１つのピクセル・データ信号が、前記像形成エンジンの光センサ・アレイにより感知された光を示す、
ことを特徴とするインターフェース組立体。
【請求項２】
前記少なくとも１つの信号のうちの少なくとも１つの信号を前記回路組立体と前記像形成エンジンとの間で双方向に伝送するための第３結合回路組立体をさらに含むようになった請求項１に記載のインターフェース組立体。
【請求項３】
前記少なくとも１つの入力信号が、さらに、データを前記像形成エンジンのデータ信号プロセッサ内の少なくとも１つのレジスタの中にプログラムするための少なくとも１つのレジスタ・データ信号と、少なくとも１つのレジスタ・クロック信号とを含む請求項１に記載のインターフェース組立体。
【請求項４】
前記少なくとも１つの入力信号が、さらに、少なくとも１つの外部フレーム同期信号と、少なくとも１つの外部水平クロック信号と、前記少なくとも１つのレジスタをリセットするための少なくとも１つのレジスタ・リセット信号と、前記データ信号プロセッサの少なくとも１つのチップのうちの１つのチップを選択するための少なくとも１つのチップ選択信号と、少なくとも１つのマスタ・クロック信号とを含む請求項１に記載のインターフェース組立体。
【請求項５】
前記少なくとも１つの出力信号が、さらに、少なくとも１つのピクセル・クロック信号と、少なくとも１つの水平ピクセル有効クロック同期信号と、少なくとも１つの垂直フレーム有効クロック同期信号とを含む請求項１に記載のインターフェース組立体。
【請求項６】
前記少なくとも１つの出力信号が、さらに、所定のモード信号に対して露光された後にフレーム・シフトを含む請求項１に記載のインターフェース組立体。
【請求項７】
前記第１及び第２結合回路組立体が、前記像形成エンジンの入力／出力（Ｉ／Ｏ）手段、前記回路組立体のＩ／Ｏ手段、及び前記像形成エンジンと前記回路組立体との間に連結された伝送組立体のうちの少なくとも１つに含まれた請求項１に記載のインターフェース組立体。
【請求項８】
前記伝送組立体が、電気通信及びデータ通信のうちの少なくとも１つのための経路を与える少なくとも１つのコネクタと、前記少なくとも１つの信号の経路及び特性のうちの少なくとも１つを修正するための少なくとも１つの伝送適応装置とを含む請求項７に記載のインターフェース組立体。
【請求項９】
前記第１及び第２結合回路組立体が、前記像形成エンジン及び前記回路組立体のうちの少なくとも１つに直接連結された請求項１に記載のインターフェース組立体。
【請求項１０】
組み合わされた前記第１結合回路組立体、前記第２結合回路組立体、及び前記第３結合回路組立体が、少なくとも第１及び第２の端部を有するコネクタを含んでおり、前記第１及び第２の端部の一方が１番目から３１番目までのコンタクトを含む複数のコンタクトを含む請求項１に記載のインターフェース組立体。
【請求項１１】
前記１番目から３１番目までのコンタクトが、０．３ｍｍのピッチを有する請求項１０に記載のインターフェース組立体。
【請求項１２】
光学コード・リーダ内に取り外し可能に配置された像形成エンジンを光学コード・リーダ・システムの回路組立体にインターフェースする方法であって、
第１の方向で、回路組立体から像形成エンジンに向かって、前記像形成エンジンのレンズ組立体が少なくとも２つの焦点位置のうちの１つの焦点位置を選択するように制御するための少なくとも１つの焦点制御信号、焦点制御モータ電力信号、照明電力信号、複合ＣＣＤ／照準電力信号、像形成エンジンの照明組立体を制御するための照明イネーブル信号、及び、前記像形成エンジンの照準組立体を制御するための照準イネーブル信号を伝送するステップを含み、前記少なくとも１つの焦点制御信号を伝送するステップが、少なくとも３つの焦点制御モードから１つの焦点制御モードを選択するための２つの信号を伝送するステップを含み、前記少なくとも３つの焦点制御モードが、第１焦点距離を選択するように前記レンズ組立体のモータを作動させる第１のモード、第２焦点距離を選択するように前記モータを作動させるモード、該モータを作動させず、焦点距離も選択しないモード、及び、一連の少なくとも２つの像収集のうちの１つの像収集のために、前記第１の焦点距離と前記第２の焦点距離との間で切り換えるように該モータを作動させるモードで構成された焦点制御モードの群から選択されており、
前記像形成エンジンの光センサ・アレイにより感知された光を示す少なくとも１つのピクセル・データ信号を、第２の方向で、該像形成エンジンから前記回路組立体に向かって伝送するステップと、
からなる方法。
【請求項１３】
前記第１の方向で、データを前記像形成エンジンのデータ信号プロセッサ内の少なくとも１つのレジスタの中にプログラムするための少なくとも１つのレジスタ・データ信号と、少なくとも１つのレジスタ・クロック信号とを伝送するステップをさらに含む請求項１２に記載の方法。
【請求項１４】
前記第１の方向で、少なくとも１つの外部フレーム信号と、少なくとも１つの外部水平クロック信号と、前記少なくとも１つのレジスタをリセットするための少なくとも１つのレジスタ・リセット信号と、前記データ信号プロセッサの少なくとも１つのチップのうちの１つのチップを選択するための少なくとも１つのチップ選択信号と、少なくとも１つのマスタ・クロック信号とを伝送するステップをさらに含む請求項１３に記載の方法。
【請求項１５】
前記第２の方向で、少なくとも１つのピクセル・クロック信号と、少なくとも１つの水平ピクセル有効クロック信号と、少なくとも１つの垂直フレーム有効クロック同期信号とを伝送するステップをさらに含む請求項１２に記載の方法。
【請求項１６】
調整可能なレンズ組立体を有する像形成エンジンを光学コード・リーダ・システムの回路組立体にインターフェースするインターフェース組立体であって、
少なくとも１つのマスタ・クロック信号を第１の方向で回路組立体から像形成エンジンに向かって伝送するための第１結合回路組立体と、
少なくとも１つの水平ピクセル有効同期クロック信号を第２の方向で前記像形成エンジンから前記回路組立体に向かって伝送するための第２結合回路組立体と、
少なくとも１つの垂直フレーム有効同期クロック信号を前記第２の方向で伝送するための第３結合回路と、
前記像形成エンジンの光センサ・アレイにより感知された光を示す複数のピクセル・データ・ビットを前記第２の方向で伝送するための第４結合回路と、
レンズ組立体が焦点位置を選択するように制御するための少なくとも１つの焦点制御信号を前記第１の方向で伝送するための第５結合回路と、
を備えた結合回路、
を含むことを特徴とするインターフェース組立体。
【請求項１７】
前記結合回路が、さらに、
少なくとも１つの焦点制御モータ電力信号を前記第１の方向で伝送して、前記像形成エンジンの焦点位置を変更するために、該像形成エンジンの前記レンズ組立体を調整することができるモータに電力を与えるための第６結合回路と、
少なくとも１つのアース信号を前記第１の方向で前記回路組立体から前記像形成エンジンに伝送するための第７結合回路と、
少なくとも１つの照明イネーブル信号を前記第１の方向で伝送して、前記像形成エンジンの照明組立体を制御するための第８結合回路と、
少なくとも１つの照準イネーブル信号を前記第１の方向で伝送して、前記像形成エンジンの照準組立体を制御するための第９結合回路と、
少なくとも１つの照明電力信号を前記第１の方向で伝送して、前記照明組立体に電力を与えるための第１０結合回路と、
少なくとも１つの照準電力信号を前記第１の方向で伝送して、前記光学コード・リーダ・システムの照準組立体に電力を与えるための第１１結合回路と、
を備えた請求項１６に記載のインターフェース組立体。
【請求項１８】
前記結合回路が、さらに、
少なくとも１つのピクセル・クロック信号を前記第２の方向で伝送するための第１２結合回路と、
少なくとも１つの外部水平クロック信号を前記第１の方向で伝送するための第１３結合回路と、
少なくとも１つのＩ2Ｃレジスタ・データ信号を前記第１及び第２の方向の少なくとも１つで伝送するための第１４結合回路と、
少なくとも１つのＩ2Ｃレジスタ・クロック信号を前記第１の方向で伝送するための第１５結合回路と、
前記像形成エンジンのデータ信号プロセッサの少なくとも１つのレジスタをリセットするために、少なくとも１つのレジスタ・リセット信号を前記第１及び第２の方向の少なくとも１つで伝送するための第１６結合回路と、
少なくとも１つのチップ選択信号を前記第１の方向で伝送するための第１７結合回路と、
少なくとも１つの露光後フレーム・シフト信号を前記第２の方向で伝送するための第１８結合回路と、
少なくとも１つの外部フレーム同期信号を前記第１の方向で伝送するための第１９結合回路と、
を備えた請求項１７に記載のインターフェース組立体。
【請求項１９】
前記インターフェース組立体が、さらに、少なくとも第１及び第２の端部を有するコネクタを含んでおり、前記第１及び第２の端部の一方が１番目から３１番目までのコンタクトを含む複数のコンタクトを含み、前記第１結合回路が複数のコンタクトのうちの１つのコンタクトを含み、前記第２結合回路が複数のコンタクトのうちの１つのコンタクトを含み、前記第３結合回路が複数のコンタクトのうちの１つのコンタクトを含み、前記第４結合回路が複数のコンタクトのうちの８つのコンタクトを含み、前記第５結合回路が複数のコンタクトのうちの２つのコンタクトを含み、前記第６結合回路が複数のコンタクトのうちの１つのコンタクトを含み、前記第７結合回路が複数のコンタクトのうちの４つのコンタクトを含み、前記第８結合回路が複数のコンタクトのうちの１つのコンタクトを含み、前記第９結合回路が複数のコンタクトのうちの１つのコンタクトを含み、前記第１０結合回路が複数のコンタクトのうちの１つのコンタクトを含み、前記第１１結合回路が複数のコンタクトのうちの２つのコンタクトを含み、前記第１２結合回路が複数のコンタクトのうちの１つのコンタクトを含み、前記第１３結合回路が複数のコンタクトのうちの１つのコンタクトを含み、前記第１４結合回路が複数のコンタクトのうちの１つのコンタクトを含み、前記第１５結合回路が複数のコンタクトのうちの１つのコンタクトを含み、前記第１６結合回路が複数のコンタクトのうちの１つのコンタクトを含み、前記第１７結合回路が複数のコンタクトのうちの１つのコンタクトを含み、前記第１８結合回路が複数のコンタクトのうちの１つのコンタクトを含み、前記第１９結合回路が複数のコンタクトのうちの１つのコンタクトを含み、前記第１から前記第１９まで結合回路に含まれる前記コンタクトの各々が、異なるコンタクトである請求項１８に記載のインターフェース組立体。
【請求項２０】
前記結合回路が、前記像形成エンジン及び前記回路組立体のうちの少なくとも１つに直接連結された請求項１６に記載のインターフェース組立体。
【請求項２１】
前記結合回路が、さらに、前記少なくとも１つの信号のうちの１つの信号が、前記像形成エンジン及び前記回路組立体で構成された群から選択されたものに向かって、信号が伝送される宛先に到達しないように遮断するための遮断回路を備えた請求項１６に記載のインターフェース組立体。
【請求項２２】
調整可能なレンズ組立体を有する像形成エンジンを光学コード・リーダ・システムの回路組立体にインターフェースするインターフェース組立体であって、
少なくとも第１及び第２の端部を有し、前記第１及び第２の端部の一方が、少なくとも１つの信号を伝送するための１番目から３１番目までのコンタクトを含む複数のコンタクトを含むコネクタと、
少なくとも１つの焦点制御信号及び少なくとも１つの焦点及びモータ電力を第１の方向で回路組立体から像形成エンジンに向かって伝送して、レンズ組立体が、前記レンズ組立体の少なくとも２つの焦点位置のうちの１つの焦点位置を選択するように制御する第１結合回路、
を備え、前記第１結合回路は前記複数のコンタクトのうちの４つのコンタクトを含み、
光学コード・リーダ・システムの照明組立体を制御するための少なくとも１つの照明イネーブル信号のうちの少なくとも１つを第１の方向で伝送し、前記光学コード・リーダ・システムの照準組立体を制御するための少なくとも１つの照準イネーブル信号を該第１の方向で伝送する第２結合回路、
を備え、前記第２結合回路は前記複数のコンタクトのうちの少なくとも２つのコンタクトを含み、
前記像形成エンジンの光センサ・アレイにより感知された光を示すピクセル・データの複数のビットを、第２の方向で、前記像形成エンジンから前記回路組立体に伝送する第３結合回路、
を備え、前記第３結合回路は前記複数のコンタクトのうちの８つのコンタクトを含み、
前記第１から前記第３まで結合回路に含まれるコンタクトの各々が異なるコンタクトであることを特徴とするインターフェース組立体。
【請求項２３】
前記第１結合回路、前記第２結合回路、及び前記第３結合回路のうちの少なくとも１つが、前記像形成エンジン及び前記回路組立体のうちの少なくとも１つに直接連結された請求項２２に記載のインターフェース組立体。
【請求項２４】
調整可能なレンズ組立体を有する像形成エンジンを光学コード・リーダ・システムの回路組立体にインターフェースするインターフェース組立体であって、
前記像形成エンジンの入力／出力（Ｉ／Ｏ）手段、前記回路組立体のＩ／Ｏ手段、及び少なくとも１つの信号を該像形成エンジン及び該回路組立体の一方から、該像形成エンジン及び該回路組立体の他方に向かって伝送するように構成された、該像形成エンジンと該回路組立体との間に連結された伝送組立体うちの少なくとも１つ、
を備え、前記少なくとも１つの信号が、前記像形成エンジンの光センサ・アレイにより感知された光を示す少なくとも１つのピクセル・データ信号と、該像形成エンジンと回路組立体との同期のための少なくとも１つのクロック信号と、焦点制御モータ電力信号と、照明電力信号と、複合ＣＣＤ／照準電力信号と、該像形成エンジンの照明組立体を制御するための照明イネーブル信号と、該像形成エンジンの照準組立体を制御するための照準イネーブル信号と、少なくとも３つの焦点制御モードから焦点制御モードを選択することを含む、前記レンズ組立体の調整を制御するための少なくとも１つの焦点制御信号と、少なくとも１つのアース信号と、を含み、前記伝送組立体が、複数のコンタクトを有するコネクタを含み、前記複数のコンタクトのうちの２つのコンタクトが少なくとも１つの前記焦点制御信号を伝送し、該複数のコンタクトのうちの２つのコンタクトがＣＣＤ／照準電力信号を伝送し、該複数のコンタクトのうちの１つのコンタクトが焦点制御モータ電力信号、照明電力信号、照明イネーブル信号、及び照準イネーブル信号の各々を伝送するようになったことを特徴とするインターフェース組立体。
【請求項２５】
前記伝送組立体が、電気通信及びデータ通信のうちの少なくとも１つのための経路を与える少なくとも１つのコネクタと、前記少なくとも１つの信号の経路及び特性の少なくとも１つを修正するための少なくとも１つの伝送適応装置とのうちの少なくとも１つを含む請求項２４に記載のインターフェース組立体。
【請求項２６】
前記伝送組立体が、前記少なくとも１つの信号のうちの１つの信号が、前記像形成エンジン及び前記回路組立体で構成された群から選択されたものに向かって、信号が伝送される宛先に到達しないように遮断するための遮断回路を備えた請求項２４に記載のインターフェース組立体。
【請求項２７】
前記伝送組立体が、３１のコンタクトを有するコネクタを含む請求項２４に記載のインターフェース組立体。
【請求項２８】
前記３１のコンタクトが０．３ｍｍのピッチを有する請求項２７に記載のインターフェース組立体。
【請求項２９】
さらに、少なくとも１つの信号を伝送するために、有線伝送のための手段及び無線伝送のための手段のうちの少なくとも１つを含む請求項２４に記載のインターフェース組立体。